(57)【特許請求の範囲】
【請求項１】
（Ａ）
１）それぞれ複数の通過孔を有する複数のパネルと、該複数のパネルを互いに折り畳み可能に接続する１又は複数の折れ部とを有する、簀の子と、
２）引き上げ時に前記複数のパネルを傾斜させながら吊下可能となるように前記簀の子の周縁部又は前記折れ部に接続され把持して前記簀の子を上げ下げ可能とする持ち手部と、
を備えたトイレ砂載置部と、
（Ｂ）底部にシートを載置可能な受け部とを備えた箱形の本体部と、
を有することを特徴とするペット用トイレ。
【請求項２】
さらに、（Ｃ）前記受け部に載置する水分吸収シートと、（Ｄ）前記水分吸収シートを中に入れた状態で前記受け部上に広げて前記本体部の側面上端まで覆う袋本体部と、袋本体部の開口部分を開閉する紐部とを備えた袋体と、を有することを特徴とする請求項１記載のペット用トイレ。
【請求項３】
前記本体部が、側面に前記トイレ砂載置部の周縁部裏面側を載置する設置用段差部を有することを特徴とする請求項１又は請求項２記載のペット用トイレ。
【発明の詳細な説明】
【技術分野】
【０００１】
本発明は、猫等のペットが排泄を行うペット用トイレに関する。
【背景技術】
【０００２】
従来から、ペット用トイレとしては様々なタイプが知られている。例えば、袋状若しくはシート形式でトイレ砂を処理するペット用トイレが知られている（例えば、特許文献１参照）。また、メッシュボード若しくは袋で排泄物を処理するペット用トイレも知られている（例えば、特許文献２、３、４、５参照）。
【先行技術文献】
【特許文献】
【０００３】
【特許文献１】実開平６−６０３３８号公報
【特許文献２】特開２０１３−７０６６４号公報
【特許文献３】特開２００８−１４１９５６号公報
【特許文献４】特開平３−１０７５５号公報
【特許文献５】特開２００６−１０９８０８号公報
【発明の概要】
【発明が解決しようとする課題】
【０００４】
しかし、上述した特許文献１記載のペット用トイレでは、底が網目の容器の上に袋状の通水性シート材がある砂収容袋であるため、スコップ等を用いてトイレ砂の入れ替えをする必要があり、上部枠を外してトイレ砂が収容してあるシートの取り換えを頻繁に取り換えなければならず、また尿が網目の容器やその下の容器を汚しこびりついてしまうため、容器もこまめな掃除が必要となるし、掃除の際に手指が汚れる恐れがあるという問題があった。
【０００５】
また、上述した特許文献２記載のペット用トイレでは、貫通孔を設けた仕切り蓋の下にトイレ砂を敷き詰めた本体があるため、大掛かりとなる上に、シートが使えないため仕切り蓋の掃除が毎回必要となり、スコップ等を用いてトイレ砂の入れ替えをする必要があり、トイレ本体もこまめな掃除が必要となるし、掃除の際に手指が汚れる恐れがあるという問題があった。
【０００６】
また、上述した特許文献３記載のペット用トイレのための排泄物処理材セットでは、容器内に低吸水性と撥水性の部分を有する排泄物処理材の下に液透過性シートそしてさらにその下に高吸水シートを配するものであるため、高吸水シートを交換する度に糞尿が付着して重くなった排泄物処理材を液透過性シートで包んで捨てる必要があり、液透過性シートの下に流れ高吸水シートから外れた尿が容器にこびりついてしまうため、容器もこまめな掃除が必要となるし、掃除の際に手指が汚れる恐れがあるという問題があった。
【０００７】
また、上述した特許文献４記載のペット用トイレでは、ペット出入り口を備えた胴部材を載せたサンドベルマウス部材の下に、挿通孔を有するサンドショベルを載せたサンドトレイを配するため、シートが使えず、糞を処理する際に糞が直接触れるサンドショベルを掃除する必要があり、またスコップ等を用いてサンドトレイ上の砂を掃除する必要があるし、掃除の際に手指が汚れる恐れがあるという問題があった。
【０００８】
また、上述した特許文献５記載のペット用トイレでは、簀子（すのこ）板の下に尿吸収材を敷設した引出部分を配するものであるため、引出のあるケースの作成にコストがかかり、また簀子の上の糞を処理する際やシートの取り換えを行う際に手指が汚れる恐れがあるという問題があった。
【０００９】
上述した特許文献１〜５記載の発明では、掃除に手間がかかったり、掃除をこまめにする必要があったり、スコップ等の道具を必要とし、掃除の際に手指を汚す恐れがあったり、特別なトイレ砂やシートを要し高価となったりするという問題があった。
【００１０】
本発明は、上述したような課題を解決するためになされたものであり、第１の目的は、掃除に道具を要さず、掃除が極めて簡単で衛生的にできるペット用トイレを得ることである。
【課題を解決するための手段】
【００１１】
本発明の第１の態様は、
（Ａ）
１）それぞれ複数の通過孔を有する複数のパネルと、該複数のパネルを互いに折り畳み可能に接続する１又は複数の折れ部とを有する、簀の子と、
２）引き上げ時に前記複数のパネルを傾斜させながら吊下可能となるように前記簀の子の周縁部又は前記折れ部に接続され把持して前記簀の子を上げ下げ可能とする持ち手部と、
を備えたトイレ砂載置部と、
（Ｂ）底部にシートを載置可能な受け部とを備えた箱形の本体部と、
を有することを特徴とするペット用トイレを提供する。
【００１２】
本発明の第１の態様のペット用トイレによれば、掃除に道具を要さず、掃除が極めて簡単で衛生的にできる。持ち手部を片手で上げるだけで、手指を汚すことなく衛生的かつワンタッチで、トイレ砂を袋体内に落とすことができる。袋体の取り換えの際も袋体を取り出して捨てるだけで済むので、手指を汚すことなく衛生的で素早く簡単に掃除が完了できる。したがって、掃除の時間を大幅に短縮できると同時に飼い主のストレスも軽減できる。
【００１３】
上述した本発明の第１の態様のペット用トイレは、さらに、（Ｃ）前記受け部に載置する水分吸収シートと、（Ｄ）前記水分吸収シートを中に入れた状態で前記受け部上に広げて前記本体部の側面上端まで覆う袋本体部と、袋本体部の開口部分を開閉する紐部とを備えた袋体と、を有することが好ましい。上述した本発明の第１の態様のペット用トイレの効果に加え、トイレ砂も水分吸収シートも手を汚さずに容易に短時間で片づけることができ、また、トイレをセットすることも容易に短時間でできる。
【００１４】
上述した本発明の第１の態様のペット用トイレは、また、前記本体部が、側面に前記トイレ砂載置部の周縁部裏面側を載置する設置用段差部を有することが好ましい。上述した本発明の第１の態様のペット用トイレの効果に加え、トイレ砂載置部の下にトイレ砂を収納するスペースができる効果を奏する。
【００１５】
上述した本発明の第１の態様のペット用トイレは、また、前記簀の子が、裏面周縁部に足部３６を備えることが好ましい。
【００１６】
本発明の第２の態様は、ペット用トイレに用いるシートセットであって、（Ｅ）水分吸収シートと、
（Ｆ）前記水分吸収シートを入れる袋本体部と、袋本体部の開口部分を開閉する紐部とを備えた袋体と、
を有することを特徴とするシートセットを提供する。
【発明の効果】
【００１７】
本発明のペット用トイレによれば、掃除に道具を要さず、掃除が極めて簡単で衛生的にできる。
【図面の簡単な説明】
【００１８】
【図１】本発明の実施例１のペット用トイレのトイレ砂載置部３の（ａ）載置時の状態を示す斜視図（ｂ）上方に引き上げた状態を示す斜視図である。
【図２】本発明の実施例１のペット用トイレの本体部２の斜視図である。
【図３】本発明の実施例１のペット用トイレの各部品の組み合わせ状態を示す（ａ）長手断面図（ｂ）短手断面図である。
【図４】本発明の実施例１のペット用トイレの（ａ）本体部２にトイレ砂載置部３を載置して組み合わせた状態の斜視図、（ａ）水分吸収シート４を内部に包んだ袋体５の斜視図、（ｃ）袋体５を本体部２にセットした状態の斜視図である。
【図５】本発明の実施例１のペット用トイレのセット状態を示す（ａ）長手断面図、（ｂ）短手断面図である。
【図６】本発明の実施例１のペット用トイレの使用方法の（ａ）準備段階の説明図、（ｂ）使用段階の説明図、（ｃ）トイレ砂載置部３引き上げ段階の説明図である。
【図７】本発明の実施例１のペット用トイレの使用方法の（ａ）廃棄段階の説明図、（ｂ）セット準備段階の説明図、（ｃ）セット完了段階の説明図である。
【図８】本発明の実施例２のペット用トイレのトイレ砂載置部の（ａ）載置時の状態を示す斜視図、（ｂ）上方に引き上げた状態を示す斜視図である。
【図９】本発明の実施例３のペット用トイレの（ａ）トイレ砂載置部斜視図、（ｂ）セット状態を示す長手断面図、（ｃ）セット状態を示す短手断面図である。
【発明を実施するための形態】
【００１９】
以下、本発明について、添付図面を適宜参照して実施例を用いて好適な実施の形態を具体的に説明するが、本発明はこれらに限定されるものではない。
【００２０】
｛ペット用トイレ：実施例１｝
まずは、図１ないし図５を用いて、本発明の実施例１のペット用トイレの構造について説明する。図１は、本発明の実施例１のペット用トイレのトイレ砂載置部３の（ａ）載置時の状態を示す斜視図（ｂ）上方に引き上げた状態を示す斜視図である。また、図２は、本発明の実施例１のペット用トイレの本体部２の斜視図である。図３は、本発明の実施例１のペット用トイレの各部品の組み合わせ状態を示す（ａ）長手断面図（ｂ）短手断面図である。長手断面は、長手方向に平行に切ったときの断面を示し、短手断面は、長手断面と直交する方向の断面である。図４は、本発明の実施例１のペット用トイレの（ａ）本体部２にトイレ砂載置部３を載置して組み合わせた状態の斜視図、（ａ）水分吸収シート４を内部に包んだ袋体５の斜視図、（ｃ）袋体５を本体部２にセットした状態の斜視図である。図５は、本発明の実施例１のペット用トイレのセット状態を示す（ａ）長手断面図、（ｂ）短手断面図である。
【００２１】
本発明の実施例１のペット用トイレ１は、トイレ砂載置部３と箱形の本体部２とを有する。トイレ砂載置部３は、互いに折り畳み可能に接続する折れ部３２を有し複数の通過孔３３を有する簀の子３１と、簀の子３１の周縁部又は折れ部３２に接続されたリング部３４と、リング部３４に接続され把持して簀の子３１を上げ下げ可能とする持ち手部３５とを備える。本体部２は、側面にトイレ砂載置部３の周縁部裏面側を載置する設置用段差部２１と、底部にシートを載置可能な受け部２２とを備える。持ち手部３５は、引き上げ時にリング部３４で簀の子３１を吊下可能に接続されている。本発明の実施例１のペット用トイレ１は、さらに、受け部２２に載置する水分吸収シート４と、水分吸収シート４を入れる袋体５とを有する。袋体５は、水分吸収シート４を中に入れた状態で受け部２２上に広げて本体部２の側面上端まで覆う袋本体部５１と、袋本体部５１の開口部分を開閉する紐部５２とを備える。袋体５のサイズは水分吸収シート４として市販のペット用トイレシーツを使用できる程度の大きさが好ましい。折れ部３２は複数であってもよい。
【００２２】
簀の子３１は板状で、水はけを良くするための通過孔３３を多数有する。通過孔３３は、トイレ砂６を通過させない程度の孔径である。通過孔３３は、尿など水分は通過させる。通過孔３３は、小さい穴若しくは細長い孔又は細い溝が好ましい。本実施例では、簀の子３１は、折れ部３２で屈曲して折り畳み可能とする、それぞれ複数の通過孔３３を有する簀の子のパネル３１ａと簀の子のパネル３１ｂの２枚のパネルであるが、３枚以上のパネルを折り畳み可能に接続してなるパネル群でもよい。折れ部３２はパネル同士の接続部分を指し、簀の子３１を折り畳んだり平らに展開することができる。なお、図においては簀の子３１の厚みは省略して記載している。
【００２３】
本実施例では、リング部３４は、簀の子３１の周端部のうち折れ部３２の両端部に配され簀の子３１を折れ部３２で屈曲可能に接続している。リング部３４は、簀の子３１と持ち手部３５に接続されているが、少なくともその一方は、リング部３４の周方向に沿って回転可能に接続されている。かかる構成により簀の子３１と持ち手部３５との成す角度は自在となる。持ち手部３５を上方に引き上げて本体部２から簀の子３１が外れると、簀の子３１はリング部３４を頂点として下方に垂れる。持ち手部３５を持って本体部２に簀の子３１をセットする際は、簀の子３１の周縁部が本体部２の設置用段差部２１に接触すると、垂れていた簀の子３１が設置用段差部２１の上で展開され載置される。なお、図においてはリング部３４の詳細な構成は省略し輪状であること以外は簡略的に記載している。リング部３４は、安定性のため、折り畳みする辺の方向に長さを有する筒状のリングであることが好ましい。本実施例では、リング部３４を配する位置は、折れ部３２の辺上の２か所であるため持ち手部３５を引き上げたときに折れ部３２で屈曲して両サイドから本体部２内にトイレ砂が容易に落下する。したがって、掃除の際に手を汚すことがない。なお、リング部３４を簀の子３１の周縁部の２か所に配してもよい。この２か所を結ぶ線は、折れ部３２と平行である。その場合、リング部３４を配した２か所を結ぶ辺を上側にして下方に簀の子３１全体が垂れ、本体部２内にトイレ砂が容易に落下する。したがって、掃除の際に手を汚すことがない。本実施例では、リング部３４を配する位置は、折れ部３２の両端付近であるため、猫が排泄する際に持ち手部３５が邪魔になることがない。図３（ｂ）、図５（ｂ）は、リング部３４の取付部分の位置を示すものではない。リング部３４は簀の子３１の表面上に中心点を有し表面側から裏面側に直角に貫通するリングであることが好ましく、また簀の子３１の側面に突出せずに表面側に配していることが好ましい。
【００２４】
本実施例では、持ち手部３５が、簀の子３１の長辺又は短辺に平行な軸と、該軸の両端から伸びてリング部３４に接続される脚とを有する。具体的には、コの字型の金属棒を芯として、軸の部分には手で持ちやすいようプラスチック筒等が巻いてある。リング部３４には直接又は金具を介して接続されている。
【００２５】
本体部２は、四角く浅底の器状で、底部である受け部２２の周囲は立ち上がった側面で囲まれている。受け部２２の周囲は立ち上がった側面内壁は、設置用段差部２１の上部ではさらに外側にせり出して立ち上がっている。設置用段差部２１は、トイレ砂載置部３を受け部２２底面から離隔した状態で安定して保持するために本体部２側面内側に一周設けられた、受け部２２に水平な段差部分である。設置用段差部２１は、トイレ砂載置部３にトイレ砂や糞などが載った状態でもトイレ砂載置部３を十分支える程度の幅を有する。設置用段差部２１を設けることにより、トイレ砂載置部の下にトイレ砂を収納するスペースができる。
【００２６】
水分吸収シート４は高い水分吸収力および保水力を有する素材により形成されることが好ましい。このような素材として、例えばポリマーシート、木材のチップ等が好ましい。袋体５は水分を通さないビニル袋等により形成されることが好ましい。水分吸収シート４は袋体５の内側底部の所定位置に予め固定されて提供されることが好ましい。これにより、本体部２に対する水分吸収シート４および袋体５の位置合わせが容易になり、設置が容易となる。使用後は袋体５に水分吸収シート４とトイレ砂とをともに収容した状態で廃棄可能である。本実施例では、水分吸収シート４と袋体５とはセットになったシートセットで、袋体５は、水分吸収シート４を入れる袋本体部５１と袋本体部５１の開口部分を開閉する紐部とを備える。持ち手部３５は、引き上げ時に前記複数のパネルを傾斜させながら吊下可能となるように設けられている。
【００２７】
(使用方法)
次に、図６ないし図７を用いて、本発明の実施例１のペット用トイレの使用方法について説明する。図６は、本発明の実施例１のペット用トイレの使用方法の（ａ）準備段階の説明図、（ｂ）使用段階の説明図、（ｃ）トイレ砂載置部３引き上げ段階の説明図である。図７は、本発明の実施例１のペット用トイレの使用方法の（ａ）廃棄段階の説明図、（ｂ）セット準備段階の説明図、（ｃ）セット完了段階の説明図である。
【００２８】
ペット用トイレ１の設置方法は次の通りである。まずは、本体部２の内側から上側まで覆うように袋体５を拡げ、受け部２２全体に水分吸収シート４を敷き詰める。次に、持ち手部３５を持ってトイレ砂載置部３を上から載せて拡げる。このとき設置用段差部２１でトイレ砂載置部３の裏面周囲が支えられる。持ち手部３５を本体部２側面に立てかける。最後にトイレ砂６をトイレ砂載置部３の簀の子３１の上にばら撒いて簀の子３１全体を覆うようにする。
【００２９】
猫７が排泄すると、尿は簀の子３１を通過して水分吸収シート４に吸収される。糞は簀の子３１のうえのトイレ砂６の中に残る。
【００３０】
掃除をするときには、持ち手部３５を持ち上げてトイレ砂６と糞を水分吸収シート４の上に落とす。これにより、手を汚さずに一動作で簀の子３１を綺麗にできる。そのまま使用を続けるときは、トイレ砂６と糞を水分吸収シート４の上に落とした後、そのまま簀の子３１を戻して新たなトイレ砂６を入れるだけで掃除は完了する。簀の子３１を持ち上げそのまま降ろすだけであるので非常に簡単かつ短時間で掃除が完了する。
【００３１】
トイレ砂６と糞を水分吸収シート４の上に落とした後、水分吸収シート４の交換も行う場合は、袋体５の中にすでに水分吸収シート４もトイレ砂６も糞尿も一緒に入っているため、水分吸収シート４やトイレ砂６、糞尿を手で触ることなく、袋本体部５１の開口部分を開閉する紐部５２を絞るだけで袋体５の中に全てのごみがこぼれることなく収納される。したがって、手を汚さずにごみを捨てることができる。また、片手で持ち手部３５を持ち上げた状態でも、もう片方の手で紐部５２を引っ張り上げることができるので、スピーディーに、かつ周囲を汚さず掃除ができる。使用時に本体部２が袋体５で覆われているため本体部２が汚れず、拭き掃除等の手間が大幅に軽減される。
【００３２】
予め水分吸収シート４が内部にセットされた袋体５を本体部２の上で拡げて側面に端部を引っ掛けるだけで水分吸収シートのセットが完了する。持ち手部３５を持ち上げて本体部２の上に載せる。設置用段差部２１の上で簀の子３１が展開されてトイレ砂載置部３のセットが完了する。したがって、手を汚さずに簡単にセットができる。
【００３３】
(効果)
本発明の実施例１のペット用トイレ１によれば、上述した構成であるので、掃除に道具を要さず、掃除が極めて簡単で衛生的にできる。持ち手部を片手で上げるだけで、手指を汚すことなく衛生的かつワンタッチで、トイレ砂を袋体内に落とすことができる。袋体の取り換えの際も袋体を取り出して捨てるだけで済む。また、トイレ砂も水分吸収シートも手を汚さずに容易に短時間で片づけることができ、また、トイレをセットすることも容易に短時間でできる。
【００３４】
従来は、毎回、トイレ砂をスコップ等ですくって捨てて水分吸収シートを取り換え、本体をこまめに洗う必要があったが、本発明の実施例１のペット用トイレ１によれば、トイレ砂や水分吸収シートを別々に掃除する必要がなく、また、その際に汚物が手に触れることもない。したがって、ペット用トイレの掃除の時間を大幅に短縮できると同時に飼い主のストレスも軽減できる。
【００３５】
｛実施例２｝
本発明の実施例２のペット用トイレを、図を用いて説明する。図８は、本発明の実施例２のペット用トイレのトイレ砂載置部の（ａ）載置時の状態を示す斜視図、（ｂ）上方に引き上げた状態を示す斜視図である。
【００３６】
本発明の実施例２のペット用トイレは、トイレ砂載置部以外は実施例１のペット用トイレ１と同じである。本実施例において、トイレ砂載置部３´は、簀の子３１´が３か所の折れ部３２ａ、３２ｂ、３２ｃで折り畳み可能に接続されている、それぞれ多数の通過孔３３を有する簀の子のパネル３１ｃ、３１ｄ、３１ｅ、３１ｆの４枚からなるものである。また、トイレ砂載置部３´は、持ち手部３５が接続されるリング部３４ｃ、３４ｄの位置が、折れ部３２でなく簀の子３１ｃの周縁部であって簀の子３１´全体の短辺に当たる箇所である。トイレ砂載置部３´は、上述した点以外は実施例１のペット用トイレ１のトイレ砂載置部３と同じである。
【００３７】
本実施例によれば、持ち手部を上に引き上げることによりトイレ砂を本体部に落とすことができ、したがって、掃除に道具を要さず、掃除が極めて簡単で衛生的にできる。上述した実施例１の効果に加え、持ち手部の脚部分が短くて済むし簀の子を小さく折り畳めるのでコンパクト性に富み、持ち手部が猫の邪魔になりにくい。
【００３８】
｛実施例３｝
本発明の実施例３のペット用トイレを、図を用いて説明する。図９は、本発明の実施例３のペット用トイレの（ａ）トイレ砂載置部斜視図、（ｂ）セット状態を示す長手断面図、（ｃ）セット状態を示す短手断面図である。
【００３９】
本発明の実施例３のペット用トイレ１´´は、トイレ砂載置部３´´が裏面側に足部３６を有する点、本体部２´が設置用段差部を有しない点以外は、実施例１のペット用トイレ１と同じである。本実施例において、足部３６は、簀の子３１の裏面周縁部に複数個所設けられた、高さが数ミリから数センチの範囲内の足であって、水分吸収シート４が簀の子３１の裏面に接しないように、簀の子３１の下に空間を確保するよう配置される。
【００４０】
本実施例によれば、持ち手部を上に引き上げることによりトイレ砂を本体部に落とすことができ、したがって、掃除に道具を要さず、掃除が極めて簡単で衛生的にできる。上述した実施例１の効果に加え、トイレ砂載置部の下にトイレ砂を収納するスペースを設けるために設置用段差部を要しないため本体部の製造コストが安くて済む。
【００４１】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。上記実施の形態において、持ち手部はリング部により簀の子の周端部に回転自在に接続されたが、持ち手部が簀の子に対して回転自在となればその接続方法はリングに限定されない。例えば、持ち手部と簀の子の周端部とは、ヒンジにより接続されてもよい。また、実施例３に記載の簀の子の裏面周縁部に足部が設けられた構成は、実施例１のペット用トイレに限らず、実施例２のペット用トイレにも適用することができる。
【符号の説明】
【００４２】
１        ペット用トイレ
２        本体部
２１      設置用段差部
２２      受け部
３        トイレ砂載置部
３１      簀の子
３２      折れ部
３３      通過孔
３４      リング部
３５      持ち手部
３６      足部
４        水分吸収シート
５        袋体
５１      袋本体部
５２      紐部
６        トイレ砂
７        猫
【要約】
【課題】掃除に道具を要さず、掃除が極めて簡単で衛生的にできるペット用トイレを提供する。
【解決手段】（Ａ）複数のパネルと、該複数のパネルを互いに折り畳み可能に接続する１又は複数の折れ部３２を有し、複数のパネルのそれぞれに複数の通過孔３３を有する簀の子３１と、引き上げ時に前記複数のパネルを傾斜させながら吊下可能となるように簀の子３１の周縁部又は折れ部３２に接続されたリング部３４と、リング部３４に接続され把持して簀の子３１を上げ下げ可能とする持ち手部３５とを備えたトイレ砂載置部３と、（Ｂ）底部にシートを載置可能な受け部２２とを備えた箱形の本体部２と、を有する構成とする。
【選択図】図１【図１】
0005563727.tif 000002
【図２】
0005563727.tif 000003
【図３】
0005563727.tif 000004
【図４】
0005563727.tif 000005
【図５】
0005563727.tif 000006
【図６】
0005563727.tif 000007
【図７】
0005563727.tif 000008
【図８】
0005563727.tif 000009
【図９】
0005563727.tif 000010